(57)【特許請求の範囲】
【請求項１】
バッテリまたは発電機を電源（１）として得たパルス電圧を昇圧トランス（１９）により昇圧し、昇圧した高電圧パルスを整流して噴霧ノズル（１２）付近に配置された静電付与電極（１４）に供給して、前記噴霧ノズル（１２）から噴出される噴霧に電荷を付与する静電付与式散布機において、前記噴霧ノズル（１２）の一部（１２ａ）を前記昇圧トランス（１９）の鉄心として利用して該昇圧トランス（１９）を前記噴霧ノズル（１２）近傍に配置したことを特徴とする静電付与式散布装置。
【発明の詳細な説明】
【０００１】
【発明の属する技術分野】
本発明は、噴霧した農薬などの薬液に電荷を付与して栽培植物等に散布する静電付与式散布機に関する。
【０００２】
【従来の技術】
従来から、噴霧ノズルの噴射口付近に静電付与電極を配置して、前記噴霧ノズルからの噴霧に電荷を付与する静電付与式散布機が種々提案されている。この静電付与式散布機では、噴射された農薬等の薬液が霧化された状態で、前記静電付与電極から電荷が付与されて自由空間に出て行くことにより、その霧化された薬液の農作物等への付着性を良好にしている。これにより前記農作物の葉などについて害虫の駆除や殺菌などの効果を高めることができる。
【０００３】
また、前記静電付与式散布機は、例えば図３および図４に示すような静電付与回路を本機側に持つ。これらのうち、図３に示すものは、バッテリ１を電源として駆動されるトリガ回路２が出力するパルスにより、バッテリ１に接続されたトランジスタ３を駆動し、このトランジスタ３が出力するパルス電圧を昇圧トランス４により昇圧し、整流ダイオード５を通して静電付与電極６に、高電圧を供給するように構成されている。なお、前記トリガ回路２として、内燃機関の回転に同期してトリガコイルが誘起するトリガ電圧を出力するトリガ電圧出力回路や発振回路などが用いられる。
【０００４】
さらに、図４に示すものは、バッテリ１の電圧をDC−DCコンバータ７により所定レベルの直流電圧に変換し、この直流電圧を逆流防止ダイオード８および昇圧トランス４の一次側コイル４ａを介して充放電用コンデンサ９に充電し、一方、前記バッテリ１を電源として駆動されるトリガ回路２が出力するパルスによりサイリスタ１０を導通させて、前記充放電コンデンサ９の電荷をこのサイリスタ１０を通して前記昇圧トランス４の一次側コイル４ａに供給し、二次側コイル４ｂに得られた高電圧パルスを整流ダイオード５を通して静電付与電極６に供給するように構成されている。
【０００５】
また、一般に静電付与式散布機は、走行可能な機体に、薬液タンクや前記バッテリ１などとともに複数の噴霧ノズルを備えたノズルブームを有し、前記昇圧トランス４および整流ダイオード５に接続された高圧ケーブルをそのノズルブームに沿ってガイドして、直流の高電圧を各噴霧ノズルの近傍に配置した各一の静電付与電極に供給している。
【０００６】
【発明が解決しようとする課題】
しかしながら、かかる従来の静電付与式散布機にあっては、高電圧のパルス発生部側にある昇圧トランス４から各噴霧ノズル付近へ引き回される高圧ケーブルの長さが大きいため、この高圧ケーブルが持つ抵抗損失により、昇圧トランス４で昇圧された高電圧が静電付与電極６に至るまでに大幅に低下し、従って、一つの昇圧トランス４に接続できる静電付与電極６の数が少なくなるほか、高圧ケーブルの途中で電圧リークが生じる場合があり、静電付与電極６に対する電圧の低下による噴霧に対する電荷付与効率の低下を招く場合があるという課題があった。
【０００７】
本発明は、前記のような課題を解決するものであり、昇圧トランスで発生した高電圧を損失少なく、効率良く静電付与電極に供給できる静電付与式散布機を得ることを目的とする。
【０００８】
【課題を解決するための手段】
前記目的達成のため、本発明にかかる静電付与式散布機は、バッテリまたは発電機を電源として得たパルス電圧を昇圧トランスにより昇圧し、昇圧した高電圧パルスを整流して噴霧ノズル付近に配置された静電付与電極に供給し、前記噴霧ノズルから噴出される噴霧に電荷を付与する静電付与式散布機において、前記噴霧ノズルの一部を前記昇圧トランスの鉄心として利用して該昇圧トランスを前記噴霧ノズルの近傍に配置するようにしたものである。
【０００９】
この態様により、昇圧トランスから静電付与電極に配線される高圧ケーブル長が著しく短くなり、このため高圧ケーブルでの抵抗の影響を小さく抑え、昇圧した高電圧を高効率にて静電付与電極に印加できるようにしている。
【００１０】さらに噴霧ノズル少なくとも一部を、前記昇圧トランスの鉄心として利用することによって、昇圧トランス自体および静電付与電極部の構成のサイズを可能な限り小さく抑えられるようにしている。
【００１１】
【発明の実施の形態】
以下、図について説明する。図１において、１１は、図示しない薬液タンクからポンプにより圧送された薬液を、複数の噴霧ノズル１２へ供給するためのノズルブームで、このノズルブーム１１には、前記複数の噴霧ノズル１２が所定間隔で接続されている。また、該各噴霧ノズル１２の一部には、電極支持板１３が取り付けられており、この電極支持板１３には、静電付与電極１４が支持されている。この電極支持板１４の先端部は、前記噴霧ノズル１２の先端に臨み、水切りのために傾斜状にカットされている。
【００１２】
また、この静電付与電極１４には、ごく短い高圧ケーブル１５および整流ダイオード１６を介して昇圧トランス１７の二次側コイル（図示しない）が接続されている。さらに前記昇圧トランス１７の一次側コイルは、図３に示した如きの本機側に配設された静電付与回路のトランジスタ３や図４に示した充放電用コンデンサ９に、低圧ケーブル２０を介して接続されている。なお、前記昇圧トランス１７は、例えば前記噴霧ノズル１２側に取り付けられたブラケット１８により支持されている。
【００１３】
このような構成の昇圧トランス１７を、噴霧ノズル１２（静電付与電極）の近傍に備えた静電付与式散布機にあっては、ノズルブーム１１を通して圧送される薬液を各噴霧ノズル１２の先端から噴射する。同時に、前記トランジスタ３や充放電用コンデンサ９から出力される比較的低圧のパルス電圧を、静電付与電極１４近傍の昇圧トランス１７で昇圧し、さらに整流ダイオード１６により高圧の直流電圧に変換して、各静電付与電極１４に印加する。
【００１４】
このため、先端部を前記噴霧ノズル１２０の先端部に臨ませて設けられた静電付与電極は、対応する噴霧ノズル１２から噴射される薬液の噴霧に効果的に電化を付与し、霧化された薬液の農産物への付着性を良好にしている。
【００１５】
そして、前記のように昇圧トランス１７を低圧ケーブル２０を介して静電付与電極１４の近傍に配置してあるために、昇圧トランス１７および静電付与電極１４間を接続する導体である高圧ケーブル１５を、ごく短く短縮化できる。従って、この高圧ケーブル１５区間での電圧ロスを最小限に抑えることができ、昇圧された直流高電圧の利用効率を高めることができる。また、昇圧トランス１７の一次側（低圧側）の低圧ケーブル２０は、ノズルブームに沿って噴霧ノズル１２付近まで案内されるため、従来のようにノズルブーム上に高圧ケーブルを案内して各静電付与電極に高電圧を分配する場合に比べて、安全性が高まるという利点が得られる。
【００１６】
図２に、本発明を示す。これは、噴霧ノズル１２の少なくとも一部を構成する磁性部材、例えばニップル部１２ａなどを鉄心として昇圧トランス１９を構成し、この昇圧トランス１９の二次コイルを整流ダイオード１６を介して静電付与電極１４に接続したものである。これは、例えば、鉄心を持たないリング状の一次側コイルおよび二次側コイルを、前記ニップル部１２ａに被せるようにして取り付けることができる。
【００１７】
本発明にあっては、昇圧トランス１９から静電付与電極１４までの高圧ケーブル１５の長さを短くすることができることと合わせて、昇圧トランス１９に専用の鉄心を設ける必要がなくなることにより、図１に示す昇圧トランス１７に比べて、構成のコンパクト化とサイズの小型化を実現できる。この結果、高圧ケーブル１５による電圧ロスを最小限に抑えて、昇圧された高電圧の利用効率を高めることができるとともに、昇圧トランス１９の一次側の低電圧を各静電付与電極ごとに分配することにより、高圧ケーブル１５を長い区間で引き廻す必要がなくなり、従って、漏電や感電事故などに対する安全性が高まる。なお、静電効果を高めるために、一個の噴霧ノズルに対して複数の昇圧トランスを設けることは任意である。また、前記昇圧トランス１７、１９の一次コイルに対するパルス電圧の供給は、図３および図４について述べたトリガ方式により従来と同様にして実施できるものである。
【００１８】
【発明の効果】
以上のように、本発明によれば、バッテリまたは発電機を電源としてえたパルス電圧を昇圧トランスにより昇圧し、昇圧した高電圧パルスを整流して噴霧ノズル付近に配置された静電付与電極に供給し、前記噴霧ノズルから噴出される噴霧に電荷を付与する静電付与式散布機において、前記噴霧ノズルの一部を前記昇圧トランスの鉄心として利用して該昇圧トランスを前記噴霧ノズル近傍に配置したので、従来のように静電付与電極まで長い高圧ケーブルを配線した場合に比べて、昇圧トランスで発生した高電圧を損失少なく、効率良く静電付与電極に供給できるという効果が得られる。
【００１９】
さらに、前記噴霧ノズルの少なくとも一部を前記昇圧トランスの鉄心として利用するようにしたので、昇圧トランス自体の小型化を図ることができるとともに、静電付与電極部が過大になるのを抑えながら、直流高電圧のロスを少なくして、効率良く静電付与電極に印加できるという効果が得られる。
【００２０】
【図面の簡単な説明】
【図１】  本発明の説明に供する静電付与式散布機の要部を示す正面図である。
【図２】  本発明の実施の一形態による静電付与式散布機の要部を示す正面図である。
【図３】  従来の静電付与式散布機に用いる静電付与回路を示す回路図である。
【図４】  従来の静電付与式散布機に用いる他の静電付与回路を示す回路図である。
【符号の説明】
１      バッテリ
１２    噴霧ノズル
１２ａ  噴霧ノズルの一部（ニップル部）
１４    静電付与電極
１９    昇圧トランス
【図１】
0003822777.tif 000002
【図２】
0003822777.tif 000003
【図３】
0003822777.tif 000004
【図４】
0003822777.tif 000005